【手続補正書】
【提出日】平成19年9月18日(2007.9.18)
【手続補正１】
【補正対象書類名】特許請求の範囲
【補正対象項目名】全文
【補正方法】変更
【補正の内容】
【特許請求の範囲】
【請求項１】
偏光子と検光子を兼ねる偏光分離膜を有した偏光ビームスプリッターと、反射型液晶表示素子と、前記偏光ビームスプリッターと前記反射型液晶表示素子との間に配置された１／４波長板と、投射レンズ系とを備えており、
黒表示時の前記反射型液晶表示素子により発生する回折光の位相差が前記１／４波長板の位相差により小さくなり、前記偏光ビームスプリッターから前記投射レンズに導かれる前記回折光の漏れ光量が低減するように、
前記１／４波長板の遅相軸と進相軸のいずれかを前記偏光ビームスプリッターの偏光軸方向と略平行な方向に配置することを特徴とする反射型液晶表示装置。
【請求項２】
偏光分離膜を有する偏光ビームスプリッタと、
反射型液晶表示素子と、
前記偏光ビームスプリッタと前記反射型液晶表示素子との間に配置された１／４波長板と、
光源からの光束を収斂状態で前記偏光ビームスプリッタに導くとともに、前記光源からの光で前記偏光ビームスプリッタ及び前記１／４波長板を介して前記反射型液晶表示素子を照明する照明光学系とを有する反射型液晶表示装置であって、
前記照明光学系の光軸が前記偏光分離膜に対して傾いており、
直線偏光光を右旋回の円偏光又は楕円偏光に変換する際に与える位相差を正、直線偏光光を左旋回の円偏光又は楕円偏光に変換する際に与える位相差を負とするとき、前記反射型液晶表示装置の黒表示状態における前記反射型液晶表示素子が、前記反射型液晶表示素子で発生する回折光に与える位相差が正又は０であり、
前記収斂状態の光束を受ける前記偏光分離膜が、前記照明光学系の光軸と前記偏光分離膜とで定義されるＳ偏光光の偏光方向をＳ偏光方向とするとき、前記反射型液晶表示素子側から見て前記Ｓ偏光方向に対して時計回りに傾いた偏光方向を有する光を出射させる第１領域と、前記反射型液晶表示素子側から見て前記Ｓ偏光方向に対して反時計回りに傾いた偏光方向を有する光を出射させる第２領域とを有しており、
前記反射型液晶表示素子の前記光軸上の点から出射して前記第１領域に入射する第１回折光に対して前記反射型液晶表示素子が与える位相差が、前記反射型液晶表示素子の前記光軸上の点から出射して前記第２領域に入射する第２回折光に対して前記反射型液晶表示素子が与える位相差よりも小さく、
前記１／４波長板の遅相軸の方向と前記Ｓ偏光方向とが略平行となるように前記１／４波長板が配置されていることを特徴とする反射型液晶表示装置。
【請求項３】
偏光分離膜を有する偏光ビームスプリッタと、
反射型液晶表示素子と、
前記偏光ビームスプリッタと前記反射型液晶表示素子との間に配置された１／４波長板と、
光源からの光束を収斂状態で前記偏光ビームスプリッタに導くとともに、前記光源からの光で前記偏光ビームスプリッタ及び前記１／４波長板を介して前記反射型液晶表示素子を照明する照明光学系とを有する反射型液晶表示装置であって、
前記照明光学系の光軸が前記偏光分離膜に対して傾いており、
直線偏光光を右旋回の円偏光又は楕円偏光に変換する際に与える位相差を正、直線偏光光を左旋回の円偏光又は楕円偏光に変換する際に与える位相差を負とするとき、前記反射型液晶表示装置の黒表示状態における前記反射型液晶表示素子が、前記反射型液晶表示素子で発生する回折光に与える位相差が正又は０であり、
前記収斂状態の光束を受ける前記偏光分離膜が、前記照明光学系の光軸と前記偏光分離膜とで定義されるＳ偏光光の偏光方向をＳ偏光方向とするとき、前記反射型液晶表示素子側から見て前記Ｓ偏光方向に対して時計回りに傾いた偏光方向を有する光を出射させる第１領域と、前記反射型液晶表示素子側から見て前記Ｓ偏光方向に対して反時計回りに傾いた偏光方向を有する光を出射させる第２領域とを有しており、
前記反射型液晶表示素子の前記光軸上の点から出射して前記第１領域に入射する第１回折光に対して前記反射型液晶表示素子が与える位相差が、前記反射型液晶表示素子の前記光軸上の点から出射して前記第２領域に入射する第２回折光に対して前記反射型液晶表示素子が与える位相差よりも大きく、
前記１／４波長板の進相軸の方向と前記Ｓ偏光方向とが略平行となるように前記１／４波長板が配置されていることを特徴とする反射型液晶表示装置。
【請求項４】
偏光分離膜を有する偏光ビームスプリッタと、
反射型液晶表示素子と、
前記偏光ビームスプリッタと前記反射型液晶表示素子との間に配置された１／４波長板と、
光源からの光束を収斂状態で前記偏光ビームスプリッタに導くとともに、前記光源からの光で前記偏光ビームスプリッタ及び前記１／４波長板を介して前記反射型液晶表示素子を照明する照明光学系とを有する反射型液晶表示装置であって、
前記照明光学系の光軸が前記偏光分離膜に対して傾いており、
直線偏光光を右旋回の円偏光又は楕円偏光に変換する際に与える位相差を正、直線偏光光を左旋回の円偏光又は楕円偏光に変換する際に与える位相差を負とするとき、前記反射型液晶表示装置の黒表示状態における前記反射型液晶表示素子が、前記反射型液晶表示素子で発生する回折光に与える位相差が負又は０であり、
前記収斂状態の光束を受ける前記偏光分離膜が、前記照明光学系の光軸と前記偏光分離膜とで定義されるＳ偏光光の偏光方向をＳ偏光方向とするとき、前記反射型液晶表示素子側から見て前記Ｓ偏光方向に対して時計回りに傾いた偏光方向を有する光を出射させる第１領域と、前記反射型液晶表示素子側から見て前記Ｓ偏光方向に対して反時計回りに傾いた偏光方向を有する光を出射させる第２領域とを有しており、
前記反射型液晶表示素子の前記光軸上の点から出射して前記第１領域に入射する第１回折光に対して前記反射型液晶表示素子が与える位相差が、前記反射型液晶表示素子の前記光軸上の点から出射して前記第２領域に入射する第２回折光に対して前記反射型液晶表示素子が与える位相差よりも小さく、
前記１／４波長板の進相軸の方向と前記Ｓ偏光方向とが略平行となるように前記１／４波長板が配置されていることを特徴とする反射型液晶表示装置。
【請求項５】
偏光分離膜を有する偏光ビームスプリッタと、
反射型液晶表示素子と、
前記偏光ビームスプリッタと前記反射型液晶表示素子との間に配置された１／４波長板と、
光源からの光束を収斂状態で前記偏光ビームスプリッタに導くとともに、前記光源からの光で前記偏光ビームスプリッタ及び前記１／４波長板を介して前記反射型液晶表示素子を照明する照明光学系とを有する反射型液晶表示装置であって、
前記照明光学系の光軸が前記偏光分離膜に対して傾いており、
直線偏光光を右旋回の円偏光又は楕円偏光に変換する際に与える位相差を正、直線偏光光を左旋回の円偏光又は楕円偏光に変換する際に与える位相差を負とするとき、前記反射型液晶表示装置の黒表示状態における前記反射型液晶表示素子が、前記反射型液晶表示素子で発生する回折光に与える位相差が負又は０であり、
前記収斂状態の光束を受ける前記偏光分離膜が、前記照明光学系の光軸と前記偏光分離膜とで定義されるＳ偏光光の偏光方向をＳ偏光方向とするとき、前記反射型液晶表示素子側から見て前記Ｓ偏光方向に対して時計回りに傾いた偏光方向を有する光を出射させる第１領域と、前記反射型液晶表示素子側から見て前記Ｓ偏光方向に対して反時計回りに傾いた偏光方向を有する光を出射させる第２領域とを有しており、
前記反射型液晶表示素子の前記光軸上の点から出射して前記第１領域に入射する第１回折光に対して前記反射型液晶表示素子が与える位相差が、前記反射型液晶表示素子の前記光軸上の点から出射して前記第２領域に入射する第２回折光に対して前記反射型液晶表示素子が与える位相差よりも大きく、
前記１／４波長板の遅相軸の方向と前記Ｓ偏光方向とが略平行となるように前記１／４波長板が配置されていることを特徴とする反射型液晶表示装置。
【請求項６】
前記偏光ビームスプリッタから前記反射型液晶表示素子の前記光軸上の点に収斂する入射光束のうち、前記照明光学系の光軸と前記偏光ビームスプリッタの偏光分離膜とで定義されるＳ偏光の偏光方向とを含む面をＳ偏光面とし、前記照明光学系の光軸と前記偏光ビームスプリッタの偏光分離膜とで定義されるＰ偏光の偏光方向とを含む面をＰ偏光面とするとき、
前記Ｓ偏光面内を通って前記反射型液晶表示素子に入射する光の強度が、前記Ｐ偏光面内を通って前記反射型液晶表示素子に入射する光の強度より強いことを特徴とする請求項２乃至５いずれかに記載の反射型液晶表示装置。
【請求項７】
前記偏光ビームスプリッタから前記反射型液晶表示素子の前記光軸上の点に収斂する入射光束のうち、前記照明光学系の光軸と前記偏光ビームスプリッタの偏光分離膜とで定義されるＳ偏光の偏光方向とを含む面をＳ偏光面とし、前記照明光学系の光軸を通り、前記Ｓ偏光面と４５度をなす平面を４５度平面とするとき、
前記Ｓ偏光面内を通って前記反射型液晶表示素子に入射する光の強度が、前記４５度平面内を通って前記反射型液晶表示素子に入射する光の強度よりも強いことを特徴とする請求項２乃至６いずれかに記載の反射型液晶表示装置。
【請求項８】
前記偏光ビームスプリッタから前記反射型液晶表示素子の前記光軸上の点に収斂する入射光束のうち、前記照明光学系の光軸と前記偏光ビームスプリッタの偏光分離膜とで定義されるＰ偏光の偏光方向とを含む面をＰ偏光面とし、前記照明光学系の光軸を通り、前記Ｐ偏光面と４５度をなす平面を４５度平面とするとき、
前記Ｓ偏光面内を通って前記反射型液晶表示素子に入射する光の強度が、前記４５度平面内を通って前記反射型液晶表示素子に入射する光の強度よりも強いことを特徴とする請求項２乃至７いずれかに記載の反射型液晶表示装置。
【請求項９】
前記照明光学系の光軸を横切る第１の方向に沿って複数の第１レンズを配置して構成されており、前記光源からの光を複数の光束に分割する第１インテグレータと、
前記複数の第１レンズに対応する複数の第２レンズを配置した第２インテグレータと、前記第２インテグレータから出射する複数の光束を前記反射型液晶表示素子に重畳的に照射する第１光学系と、
前記第１の方向と直交する第２方向に光学的パワーを有し、前記第２方向を含む面内において、前記光源からの光束径を圧縮して前記反射型液晶表示素子に導く第２光学系とを有することを特徴とする請求項２乃至８いずれかに記載の反射型液晶表示装置。